(57)【特許請求の範囲】
【請求項１】
光軸上に設けられた光源及びレンズと、
前記光源を搭載する前記光軸に略垂直な搭載面を有する放熱部と、
前記放熱部の前記搭載面と反対側に設けられた裏面に取り付けられたファンと、
前記ファンから供給される空気の一部を、前記裏面から前記放熱部を迂回して前記搭載面に導くように構成された通気流路を形成するフローガイド部と、
を備え、
前記フローガイド部は前記光軸に対して前記レンズより外側に設けられることを特徴とする車両用灯具。
【請求項２】
前記ファンは、回転軸の周りに環状の送風領域を有する軸流ファンであり、前記送風領域の一部が前記裏面のうち前記光源に対応する位置に対向するとともに、前記回転軸が前記光源と前記通気流路との間に位置するように配置されていることを特徴とする請求項１に記載の車両用灯具。
【請求項３】
前記フローガイド部は、
前記裏面側から前記搭載面側に向かって延在する第１のガイド部と、
前記搭載面側において前記第１のガイド部から連続し、前記搭載面に沿って延在する第２のガイド部と、
を備えることを特徴とする請求項１又は２に記載の車両用灯具。
【請求項４】
前記フローガイド部の少なくとも一部は、前記放熱部と一体的に形成されていることを特徴とする請求項１から３のいずれか１項に記載の車両用灯具。
【請求項５】
光軸上に配置される光学部材を保持するフレームを更に備え、
前記フローガイド部の少なくとも一部は、前記フレームと一体的に形成されていることを特徴とする請求項１から４のいずれか１項に記載の車両用灯具。
【請求項６】
前記フローガイド部から前記光源に向かって前記搭載面上に凹状に形成されることにより、前記通気流路を介して前記搭載面側に導かれた空気を前記光源にガイドするガイド部を有することを特徴とする請求項１から５のいずれか１項に記載の車両用灯具。
【請求項７】
前記放熱部の前記搭載面側には、前記光源からの光を反射する反射部材が、前記通気流路と前記光源との間に設けられており、
前記反射部材は、前記通気流路を介して導かれた空気を前記光源に通すように、前記搭載面との間に隙間が形成されるように構成されていることを特徴とする請求項１から６のいずれか１項に記載の車両用灯具。
【請求項８】
前記反射部材は、前記通気流路に面する側が前記搭載面の法線に対して前記通気流路側に傾くようにテーパ形状を有することを特徴とする請求項７に記載の車両用灯具。
【請求項９】
前記搭載面上で前記光源を覆うように構成されたフレームを更に備え、
前記フレームのうち前記光源から見て前記フローガイド部とは反対側に、前記光源に供給された空気を排出するための排出口が設けられていることを特徴とする請求項１から８のいずれか１項に記載の車両用灯具。
【請求項１０】
前記光源は、前記フローガイド部によって導かれた空気の供給方向の交差方向に沿って前記搭載面上に配列された複数の発光素子を有し、
前記通気流路の前記交差方向に沿った幅は、前記複数の発光素子の前記交差方向に沿った配置領域より広いことを特徴とする請求項１から９のいずれか１項に記載の車両用灯具。
【発明の詳細な説明】
【技術分野】
【０００１】
本開示は、半導体型光源を用いる車両用灯具に関する。
【背景技術】
【０００２】
近年、発光ダイオード（ＬＥＤ）のような半導体型光源を利用した車両用灯具の普及が進んでいる。この種の車両用灯具では、半導体型光源における発熱を抑制するために放熱用のヒートシンクが用いられる。例えば特許文献１では、半導体型光源を含むＬＥＤモジュールが搭載されるヒートシンクに放熱用のフィンを設けるとともに、ヒートシンクに取り付けられたファンによりフィンに対して送風することで、ＬＥＤモジュールの放熱を促進する構造が開示されている。
【先行技術文献】
【特許文献】
【０００３】
【特許文献１】特開２０１０−２６２９０３号公報
【発明の概要】
【発明が解決しようとする課題】
【０００４】
上述したように、上記特許文献１では、ヒートシンクに放熱用のフィンを設けてファンで送風することにより放熱の効率化を図っている。このような放熱の効率化は、車両用灯具の小型化及び軽量化、更には製造コストの軽減に貢献するため、より一層の向上が望まれている。
【０００５】
本発明の少なくとも１実施形態は上述の問題点に鑑みなされたものであり、半導体型光源における発熱をコンパクトな構成で効果的に抑制可能な放熱構造を有する車両用灯具を提供することを目的とする。
【課題を解決するための手段】
【０００６】
（１）本発明の一実施形態に係る車両用灯具は上記課題を解決するために、光源と、前記光源を搭載する搭載面を有する放熱部と、前記放熱部の前記搭載面と反対側に設けられた裏面に取り付けられたファンと、前記ファンから供給される空気の一部を、前記裏面から前記放熱部を迂回して前記搭載面に導くように構成された通気流路を形成するフローガイド部と、を備える。
【０００７】
上記（１）の構成によれば、放熱部の裏面に取り付けられたファンから供給される空気の一部が、フローガイド部によって形成される通気流路を介して、搭載面側の光源に供給される。これにより、光源は放熱部を介した放熱作用に加えて、通気流路を介した送風に曝されることにより直接的に冷却されるため、良好な放熱作用が得られる。このように放熱の効率化が図れることにより、車両用灯具の小型化及び軽量化、更には製造コストの軽減を達成することができる。
【０００８】
（２）幾つかの実施形態では、上記（１）の構成において、前記ファンは、回転軸の周りに環状の送風領域を有する軸流ファンであり、前記送風領域の一部が前記裏面のうち前記光源に対応する位置に対向するとともに、前記回転軸が前記光源と前記通気流路との間に位置するように配置されている。
【０００９】
上記（２）の構成によれば、放熱部の裏面におけるファンの取付位置は、ファンの送風領域の一部が放熱部の裏面のうち光源に対応する位置に対向するように設定されることにより、放熱部を介した放熱作用を良好に得られる。またファンの回転軸が光源と前記通気流路との間に位置することで、ファンからの送風を通気流路に対して効率的に導くことができるため、通気流路を介した光源の冷却作用を向上できる。
【００１０】
（３）幾つかの実施形態では、上記（１）又は（２）の構成において、前記フローガイド部は、前記裏面側から前記搭載面側に向かって延在する第１のガイド部と、前記搭載面側において前記第１のガイド部から連続し、前記搭載面に沿って延在する第２のガイド部と、を備える。
【００１１】
上記（３）の構成によれば、ファンから通気流路に供給される空気は、第１のガイド部によって裏面側から搭載面側に導かれた後、第２のガイド部によって光源が設けられた搭載面側に向かって偏向される。これにより、ファンから供給される空気の一部を、通気流路を介して効率的に光源に導くことができ、良好な放熱作用が得られる。
【００１２】
（４）幾つかの実施形態では、上記（１）から（３）のいずれか１構成において、前記フローガイド部の少なくとも一部は、前記放熱部と一体的に形成されている。
【００１３】
上記（４）の構成によれば、フローガイドの少なくとも一部を放熱部材と一体的に形成することで、車両用灯具を少ない部材数で構成することができ、より小型化及び低コスト化に適した車両用灯具を実現できる。
【００１４】
（５）幾つかの実施形態では、上記（１）から（４）のいずれか１構成において、光軸上に配置される光学部材を保持するフレームを更に備え、前記フローガイド部の少なくとも一部は、前記フレームと一体的に形成されている。
【００１５】
上記（５）の構成によれば、フローガイドの少なくとも一部を、光学部材を保持するフレームと一体的に形成することで、車両用灯具を少ない部材数で構成することができ、より小型化及び低コスト化に適した車両用灯具を実現できる。
【００１６】
（６）幾つかの実施形態では、上記（１）から（５）のいずれか１構成において、前記フローガイド部から前記光源に向かって前記搭載面上に凹状に形成されることにより、前記通気流路を介して前記搭載面側に導かれた空気を前記光源にガイドするガイド部を有する。
【００１７】
上記（６）の構成によれば、搭載面上に凹状に形成されたガイド部を設けることにより、通気流路を介して裏面側から搭載面側に供給される空気を、搭載面上の光源に対して、より効率的に導くことができる。
【００１８】
（７）幾つかの実施形態では、上記（１）から（６）のいずれか１構成において、前記放熱部の前記搭載面側には、前記光源からの光を反射する反射部材が、前記通気流路と前記光源との間に設けられており、前記反射部材は、前記通気流路を介して導かれた空気を前記光源に通すように、前記搭載面との間に隙間が形成されるように構成されている。
【００１９】
上記（７）の構成によれば、搭載面側において通気流路と光源との間に反射部材を備える場合、反射部材と搭載面との間に隙間を設けることで、反射部材の機能を確保しつつ、通気流路を介して放熱部の裏面側から供給された空気を効率的に光源に導くことができる。
【００２０】
（８）幾つかの実施形態では、上記（７）の構成において、前記反射部材は、前記通気流路に面する側が前記搭載面の法線に対して前記連通流路側に傾くようにテーパ形状を有する。
【００２１】
上記（８）の構成によれば、反射部材のうち通気流路に面する側をテーパ形状とすることで、通気流路から供給される空気を反射部材と搭載面との間に設けられた隙間に導かれるように整流できる。これにより、通気流路からの空気を光源に対してより効率的に導くことができる。
【００２２】
（９）幾つかの実施形態では、上記（１）から（８）のいずれか１構成において、前記搭載面上で前記光源を覆うように構成されたフレームを更に備え、前記フレームのうち前記光源から見て前記フローガイド部とは反対側に、前記光源に供給された空気を排出するための排出口が設けられている。
【００２３】
上記（９）の構成によれば、光源を覆うフレームに排出口を設けることにより、通気流路から供給される空気が光源を冷却した後、排出口を介して外部に排出されるよう流路が形成される。これにより、光源を覆うフレーム内の空気の滞りがなくなり、通気流路から供給される空気によって、より効率的に光源を冷却できる。特に、排出口はフローガイド部とは反対側に設けられることにより、光源を冷却した後の空気をスムーズに排出することができるので、当該作用をより効果的に享受できる。
【００２４】
（１０）幾つかの実施形態では、上記（１）から（９）のいずれか１構成において、前記光源は、前記フローガイド部によって導かれた空気の供給方向の交差方向に沿って前記搭載面上に配列された複数の発光素子を有し、前記通気流路の前記交差方向に沿った幅は、前記複数の発光素子の前記交差方向に沿った配置領域より広い。
【００２５】
上記（１０）の構成によれば、通気流路から供給される空気が、複数の発光素子が配列されている領域をカバーするように流れる。これにより、複数の発光素子全体を万遍なく冷却できる。
【発明の効果】
【００２６】
本発明の少なくとも１実施形態によれば、半導体型光源における発熱をコンパクトな構成で効果的に抑制可能な放熱構造を有する車両用灯具を提供できる。
【図面の簡単な説明】
【００２７】
【図１】本発明の少なくとも１実施形態に係る車両用灯具の外観斜視図である。
【図２】図１の車両用灯具の光軸に沿った分解斜視図である。
【図３】図１の車両用灯具の光軸に沿った鉛直断面図である。
【図４】図３の変形例である。
【図５】プレートの変形例を単体で示す斜視図である。
【図６】他の実施形態に係る車両用灯具の光軸に沿った鉛直断面図である。
【図７】図６の車両用灯具の光軸に沿った分解斜視図である。
【図８】他の実施形態に係る車両用灯具の光軸に沿った分解斜視図である。
【図９】図８の車両用灯具の光軸に沿った鉛直断面図である。
【発明を実施するための形態】
【００２８】
以下、添付図面を参照して本発明の幾つかの実施形態について説明する。ただし、実施形態として記載され又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００２９】
図１は本発明の少なくとも１実施形態に係る車両用灯具１０の外観斜視図であり、図２は図１の車両用灯具１０の光軸１に沿った分解斜視図であり、図３は図１の車両用灯具１０の光軸１に沿った鉛直断面図である。
尚、以下の説明で方向について言及する際には、特段の記載がない限りにおいて、図１における前後方向、水平方向及び鉛直方向を基準に述べることとする。
【００３０】
車両用灯具１０は、車両の前部両端側に搭載される前照灯（ヘッドランプ）であり、車両前方に向かって延びる光軸１を有する。車両用灯具１０は、図２に示されるように、光軸１に沿って車両前方側から順に、リテーナ１２、レンズ１４、フレーム１６、プレート１８、光源基板２０、ヒートシンク２２及びファン２４が組み合わせられて構成される。
尚、車両用灯具１０は、これらの構成要素が、透光性を有する樹脂又はガラスで形成されたランプレンズに車両後方側からランプハウジングを取り付けて構成される灯室内に収容されてなるが、図１及び図３ではランプレンズ及びランプハウジングの図示を省略している。
【００３１】
光源基板２０は、基板２６上に少なくとも１の発光素子を有する。本実施形態では、発光素子として半導体型光源である発光ダイオード（ＬＥＤ）素子が用いられている。ＬＥＤ素子はＬＥＤチップ２８としてパッケージング化された形態で、基板２６上に複数実装されている。これら複数のＬＥＤチップ２８は、基板２６上に水平方向に沿って配列されており、制御ロジック（不図示）からの指令に基づいて個別にオン／オフされることで所定の偏光パターンを形成可能となっている。また基板２６上には電源コネクタ３０が設けられており、該電源コネクタ３０に外部から電源ライン（不図示）が接続されることにより、各ＬＥＤチップ２８に駆動用電力が供給されるように構成されている。
【００３２】
尚、本実施形態では発光素子として用いられる半導体型光源としてＬＥＤを採用した場合を例示しているが、例えばＯＥＬ又はＯＬＥＤ（有機ＥＬ）などを用いてもよい。
【００３３】
光源基板２０は動作時に発熱により高温となるため、放熱用のヒートシンク２２上に搭載されている。ヒートシンク２２は良好な熱伝導性を有する材料から形成されており、例えばアルミダイカストや樹脂材料からなる。ヒートシンク２２のうち光源基板２０が搭載される搭載面２２ａは略平坦形状を有することにより、光源基板２０との接触面積を多く確保し、ヒートシンク２２への放熱が促進されるように構成されている。
【００３４】
プレート１８は、光源基板２０（ＬＥＤチップ２８）からの照射光の一部を反射することにより所定の変更パターンを形成する反射部３３を有する反射部材（リフレクタ）である。プレート１８は、反射部３３の両側にそれぞれ延在する支持部３７を有しており、該支持部３７に設けられた貫通穴に挿入されるスクリュー３４によって、光源基板２０とともに搭載面２２ａに固定されている。
【００３５】
光源基板２０からの照射光は、その一部がプレート１８によって反射されるとともに、光軸１上に配置されたレンズ１４を介して車両前方に向かって投影される。レンズ１４は正面視非円形状を有する異形レンズである。レンズ１４は、図３に示されるように、その周縁がリテーナ１２及びフレーム１６間に挟み込まれるように保持された状態で、リテーナ１２及びフレーム１６に設けられた貫通穴に挿入されるスクリュー３８によって、搭載面２２ａに固定されている。
【００３６】
ヒートシンク２２は搭載面２２ａと反対側に裏面２２ｂを有している。裏面２２ｂには、複数の放熱フィン３２が設けられている。複数の放熱フィン３２は、それぞれ鉛直方向に沿って延在するリブ形状を有しており、ヒートシンク２２の空気との接触面積を増やすことにより良好な放熱効率が得られるように構成されている。
【００３７】
ヒートシンク２２の裏面２２ｂには、空冷用のファン２４が設けられている。ファン２４は回転軸３１を中心に環状の送風領域３６を有する軸流ファンであり、裏面２２ｂに対して回転軸３１が略垂直になるように、複数のスクリュー３８によって取り付けられている。ファン２４が動作すると、裏面２２ｂに対して空気が送り込まれることにより、裏面２２ｂに設けられた放熱フィン３２からの放熱作用が促進される。本実施形態ではファン２４は回転軸３１の周りに複数のブレードを有しており、各ブレードはファン２４の作動時に径方向長さの略中点近傍において送風量が最大になる形状を有している。
【００３８】
このようなファン２４は、送風領域３６の一部がヒートシンク２２の裏面２２ｂのうち光源基板２０（特にＬＥＤチップ２８）に対応する位置に対向するように配置されている。これにより、ファン２４からの送風は、ヒートシンク２２のうちＬＥＤチップ２８に近い領域を中心に向かって行われるので、ヒートシンク２２を介したＬＥＤチップ２８の放熱を効果的に行うことができる。
【００３９】
ここでヒートシンク２２には、通気流路４２が形成を形成するためのフローガイド部４０が設けられている。フローガイド部４０は、裏面２２ｂ側から搭載面２２ａ側に向かって延在する第１のガイド部４１と、搭載面２２ａ側において第１のガイド部４１から連続しており、搭載面２２ａに沿って延在する第２のガイド部４４とから構成される。ヒートシンク２２の裏面２２ｂに取り付けられたファン２４からの送風は、その一部が通気流路４２に入り込むことにより、第１のガイド部４１によって搭載面２２ａ側に導かれる。このように第１のガイド部４１によって導かれた空気の流れは、第２のガイド部４４によって光源基板に向かうように偏向される。このようにフローガイド部４０が設けられることにより、ファン２４から供給される空気の一部が、裏面２２ｂからヒートシンク２２本体を迂回して搭載面２２ａに導かれる。
【００４０】
通気流路４２を介して搭載面２２ａに導かれた空気は、搭載面２２ａ上においてプレート１８との間に設けられた隙間４６を通過し、光源基板２０上のＬＥＤチップ２８に供給される。これにより、発熱源となるＬＥＤチップ２８はヒートシンク２２を介した放熱に加えて、通気流路４２を通ったファン２４からの送風によって直接的に冷却される。このように放熱の効率化が図られることにより、同等な放熱作用を得るためのヒートシンク２２のサイズを抑えることができ、その結果、車両用灯具１０の小型化及び軽量化、更には製造コストの軽減を達成することができる。
【００４１】
本実施形態では特に、ヒートシンク２２の裏面２２ｂ側に設けられるファン２４は、その回転軸３１がＬＥＤチップ２８と通気流路４２との間に位置するように取り付けられている。これにより、送風領域３６から送り出される空気の一部は、ヒートシンク２２の裏面２２ｂ側と接触（衝突）した後、通気流路４２に向かって効率的に導かれることとなる。そのため、通気流路４２を介して裏面２２ｂ側から搭載面２２ａ側により多くの空気を導くことができ、上記放熱作用をより効果的に享受することができる。
【００４２】
尚、ヒートシンク２２の裏面２２ｂに対するファン２４の取付位置は、図４に示されるように光軸１に沿った上下方向断面において、回転軸３１の周りに設けられた複数のブレードの中央部２４ａが光軸１と一致するように配置されていてもよい。この場合、ブレードのうちファン２４が作動した際に送風量が最も大きくなる領域（すなわちブレードの径方向長さの略中点近傍）が裏面２２ｂのＬＥＤチップ２８に対応する位置となるため、ヒートシンク２２を介したＬＥＤチップ２８の放熱効果を特に良好に享受できる。
【００４３】
特に、裏面２２ｂに設けられた放熱フィン３２は、上述したように鉛直方向に沿って延在するように設けられているため、裏面２２ｂに衝突するファン２４からの送風は、放熱フィン３２に沿って整流されることにより、通気流路４２に効率的に導かれることとなる。このように、ファン２４から通気流路４２への効率的な空気の流路を形成できるため、より効果的な放熱を行うことができる。
【００４４】
更に好ましくは、図３に示されるように、ファン２４の送風領域３６の一部が通気流路４２の入り口に対向するように至っていてもよい。これにより、ファン２４から送り出される空気の流線上に通気流路４２の入口が位置することとなるため、通気流路４２に比較的大きな流速を有する空気の流れを導くことができ、ＬＥＤチップ２８の冷却をより効果的に行うことができる。
【００４５】
尚、本実施形態では、フローガイド部４０はヒートシンク２２と一体的に形成されているため、これらを別部材として構成する場合に比べて車両用灯具１０を形成するための部材数を少なく抑えることができ、小型化及び低コスト化に適している。
【００４６】
また隙間４６を形成するプレート１８のうち通気流路４２に面する側は、搭載面２２ａの法線（光軸１）に対して通気流路４２側に傾くようにテーパ形状を有する。これにより、通気流路４２から供給される空気は、該テーパ形状によって隙間４６に導かれるように整流され、当該空気によるＬＥＤチップ２８の放熱を効果的に促進できる。
【００４７】
ここで図５はプレート１８の変形例を単体で示す斜視図である。図５（ａ）では、プレート１８のうち搭載面２２ａに対向する側に、通気流路４２の出口から光源基板２０に向かう方向に沿って延在するように形成された凹状の溝３９が設けられている。これにより、通気流路４２の出口から光源基板２０に向かう空気が整流され、光源基板２０に効率的に冷却用の空気を向けることができる。
【００４８】
また図５（ｂ）では、プレート１８のうち搭載面２２ａに対向する側を凹曲面４３に形成している。これもまた図５（ａ）と同様に、通気流路４２の出口から光源基板２０に向かう空気が整流され、光源基板２０に効率的に冷却用の空気を向けることができる。
【００４９】
続いて、上述の通気流路４２は、水平方向における幅が、光源基板２０上における複数のＬＥＤチップ２８の配置領域を含むように構成されている。これにより、通気流路４２を介して裏面２２ｂ側から導かれた空気を複数のＬＥＤチップ２８全体に対して万遍なく行き渡らせることができる。
【００５０】
また搭載面２２ａ上で冷却対象であるＬＥＤチップ２８を覆うように構成されたリテーナ１２及びフレーム１６には通気用の排出口４８が設けられている。排出口４８は、ＬＥＤチップ２８から見てフローガイド部４０とは反対側に設けられており、通気流路４２介してＬＥＤチップ２８に供給される空気を外部に逃す流路を形成する。これにより、ＬＥＤチップ２８の周囲に空気が滞ることにより冷却作用が低下することを防止できる。
【００５１】
続いて図６及び図７を参照して、他の実施形態に係る車両用灯具１０’について説明する。図６は他の実施形態に係る車両用灯具１０’の光軸１に沿った鉛直断面図であり、図７は図６の車両用灯具１０’ の光軸１に沿った分解斜視図である。
【００５２】
本実施形態では、上述の実施形態と基本的構成を共通としているが、ヒートシンク２２の搭載面２２ａに、フローガイド部４０から光源基板２０に向かって凹状に形成されるガイド部５０を有する。ガイド部５０は、通気流路４２を介して裏面２２ｂ側から搭載面２２ａ側に導かれた空気が、光源基板２０に向かって整流されるようにガイドする。これにより、通気流路４２からの空気が搭載面２２ａ上の光源基板２０に供給される流路を的確に形成することができ、より効率的な放熱効果が得られる。
【００５３】
このようにガイド部５０はヒートシンク２２の搭載面２２ａ側に凹状に形成されるため、光源基板２０が搭載される搭載面２２ａとの間に少なからず段差５２が生じることとなるが、本実施形態では、当該段差５２が傾斜を有することにより、ガイド部５０と搭載面２２ａとの間がなだらかになっている。これにより、通気流路４２によって導かれた空気が、ガイド部５０の出口（すなわち、光源基板２０側）で段差５２に衝突することによって拡散されて流速が減少することを抑制できる。これにより、通気流路４２を介して搭載面２２ａに導かれる空気を光源基板２０に対して、より効率的に供給することができる。
【００５４】
続いて図８及び図９を参照して、他の実施形態に係る車両用灯具１０’’について説明する。図８は他の実施形態に係る車両用灯具１０’’の光軸１に沿った分解斜視図であり、図９は図８の車両用灯具１０’’の光軸１に沿った鉛直断面図である。
【００５５】
上述の実施形態では、通気流路４２を形成するフローガイド部４０は、ヒートシンク２２の一部として形成されていたが、本実施形態では、リテーナ１２とともにレンズ１４を保持するフレーム１６の一部を含んで構成されている。具体的にはヒートシンク２２は、上記実施形態と同様に、第１のガイド部４１及び第２のガイド部４４を備えているが、本実施形態では更に、フレーム１６の下方端側から延在する第３のガイド部５４を備えている。
【００５６】
第３のガイド部５４はフレーム１６と一体的に構成されており、ヒートシンク２２の一部である第１のガイド部４１及び第２のガイド部４４とともに通気流路４２を構成している。特に、第２のガイド部４４及び第３のガイド部５４はともに搭載面２２ａに沿って延在しており、互いに組み合わされることにより、第１のガイド部４１によって裏面２２ｂ側から搭載面２２ａ側に導かれた空気を光源基板２０に向けて整流するように構成されている。
尚、第２のガイド部４４及び第３のガイド部５４は、互いに接触していてもよいし、適度な隙間を介して配置されていてもよい。
【００５７】
以上説明したように、本発明の少なくとも１実施形態によれば、ファン２４から供給される空気の一部が、フローガイド部４０によって形成される通気流路４２を介して搭載面２２ａ側から光源に供給される。そのため、光源基板２０はヒートシンク２２を介した間接的な放熱作用に加えて、ファン２４からの送風によって直接的に冷却されることにより、良好な放熱作用が得られる。このように放熱の効率化が図れるため、車両用灯具の小型化及び軽量化、更には製造コストの軽減を達成することができる。
【符号の説明】
【００５８】
１  光軸
１０  車両用灯具
１２  リテーナ
１４  レンズ
１６  フレーム
１８  プレート
２０  光源基板
２２  ヒートシンク
２２ａ  搭載面
２２ｂ  裏面
２４  ファン
２６  基板
２８  ＬＥＤチップ
３０  電源コネクタ
３１  回転軸
３２  放熱フィン
３３  反射部
３４，３８  スクリュー
３６  送風領域
３７  支持部
３９  溝
４０  フローガイド部
４１  第１のガイド部
４２  通気流路
４３  凹曲面
４４  第２のガイド部
４６  隙間
４８  排出口
５０  ガイド部
５２  段差
５４  第３のガイド部
【図１】
0006606987.tif 000002
【図２】
0006606987.tif 000003
【図３】
0006606987.tif 000004
【図４】
0006606987.tif 000005
【図５】
0006606987.tif 000006
【図６】
0006606987.tif 000007
【図７】
0006606987.tif 000008
【図８】
0006606987.tif 000009
【図９】
0006606987.tif 000010